(57)【要約】【課題】漏電時の保護を確実に行いつつ、不要動作を低減可能な漏電遮断器を提供する。【解決手段】測定電流が流れる導体を囲む磁気コア１２ａに巻回された励磁コイル１２ｂに励磁電流を供給し励磁コイル１２ｂに流れる励磁電流に応じた電圧信号からなる測定信号を出力する励磁回路１３と、測定信号から交流成分のみを取り出す交流成分通過フィルタ３２及びその出力が閾値を超える場合に交流検知信号を出力する交流検出回路３３と、測定信号から直流成分のみを取り出す直流成分通過フィルタ３４及びその出力がしきい値を超える場合に直流検知信号を出力する直流検出回路３５と、主回路導体２を遮断可能な遮断器１と、主回路導体２の主回路電圧が交流であるか直流であるかを判定する交流／直流判定回路３７と、主回路電圧が交流と判定されるときには交流検知信号、直流と判定されるときには直流検知信号に基づき遮断器１を制御する遮断制御回路３６と、を備える。【選択図】          図１
2017157431.tif 000002
【特許請求の範囲】
【請求項１】
測定電流が流れる導体を囲む磁気コアに、電気的に絶縁し磁気的に結合するように巻回した励磁コイルと、
前記励磁コイルに励磁電流を供給する励磁部と、
前記励磁コイルに流れる励磁電流に応じた電圧信号からなる測定信号を出力する測定信号出力部と、
前記測定信号から交流成分のみを取り出す交流成分通過フィルタ部と、
前記測定電流の交流成分に対応する交流しきい値が設定され、前記交流成分通過フィルタ部のフィルタ出力が前記交流しきい値を超える場合に交流検知信号を出力する交流検出部と、
前記測定信号から直流成分のみを取り出す直流成分通過フィルタ部と、
前記測定電流の直流成分に対応する直流しきい値が設定され、前記直流成分通過フィルタ部のフィルタ出力が前記直流しきい値を超える場合に直流検知信号を出力する直流検出部と、
前記導体を遮断可能な遮断器と、
前記導体の主回路電圧が交流であるか直流であるかを判定する交流／直流判定部と、
前記交流／直流判定部で前記主回路電圧が交流であると判断されるときには前記交流検知信号に基づいて前記遮断器を制御し、前記主回路電圧が直流であると判断されるときには前記直流検知信号に基づいて前記遮断器を制御する遮断制御部と、
を備えたことを特徴とする漏電遮断器。
【請求項２】
前記測定信号と前記交流／直流判定部の判定結果とを入力し、前記判定結果に応じて前記測定信号の出力先を、前記交流成分通過フィルタ部と前記直流成分通過フィルタ部とで切り替える切替部を備えたことを特徴とする請求項１に記載の漏電遮断器。
【請求項３】
前記遮断制御部は、
前記交流検知信号及び前記直流検知信号が入力され、当該交流検知信号及び直流検知信号の論理和信号を、前記遮断器が有する引外しコイルへの遮断信号として出力する論理和回路を備えていることを特徴とする請求項２に記載の漏電遮断器。
【請求項４】
整流回路を有し、前記導体からの供給電力を前記整流回路で整流して回路電源として利用する電源回路を備え、
前記交流／直流判定部は、前記整流回路の出力を用いて前記導体の主回路電圧が交流であるか直流であるかを判定することを特徴とする請求項１から請求項３のいずれか一項に記載の漏電遮断器。
【請求項５】
前記交流／直流判定部は、微分回路と当該微分回路の後段に設けられた比較器とを備えることを特徴とする請求項４に記載の漏電遮断器。
【請求項６】
前記交流成分通過フィルタ部及び前記直流成分通過フィルタ部のうちの少なくとも一方は、ローパスフィルタを備えることを特徴とする請求項１から請求項５のいずれか一項に記載の漏電遮断器。
【請求項７】
前記交流検出部及び前記直流検出部のうちの少なくとも一方は、比較器を備えることを特徴とする請求項１から請求項６のいずれか一項に記載の漏電遮断器。
【発明の詳細な説明】
【技術分野】
【０００１】
本発明は、過電流、短絡の他、漏電時の回路遮断機能を持つ漏電遮断器に関する。
【背景技術】
【０００２】
漏電遮断器は、過電流、短絡の他、漏電時の回路遮断機能を持つもので、例えば、漏電検出用に零相変流器が組み込まれた漏電遮断器が知られている（例えば、特許文献１参照。）
図９は、特許文献１に開示された、従来の漏電遮断器のブロック図を示している。
従来の漏電遮断器は、磁気コア１２ａ及びこの磁気コア１２ａに巻回した励磁コイル１２ｂとしての二次巻線を有する変流器１２を備える。磁気コア１２ａは、電流を測定する対象物である２本の導線２ａ及び２ｂを有する主回路導体２を囲むように配置される。
【０００３】
漏電遮断器は、さらに、励磁コイル１２ｂに励磁電流を供給する励磁回路１３と、励磁電流から主回路導体２における直流成分から交流成分までの漏洩電流を含む測定信号を検出する測定信号検出回路１４と、を備える。
測定信号検出回路１４で測定された信号は、そのノイズ成分を除去するローパスフィルタ回路５に供給され、ローパスフィルタ回路５の出力は、漏電増幅回路６で増幅された後、漏電増幅回路６の出力信号のうちの交流成分のみを取り出すＡＣ検出フィルタ回路１６と、直流成分のみを取り出すＤＣ検出フィルタ回路２６と、に供給される。
【０００４】
ＡＣ検出フィルタ回路１６で抽出された交流成分は、漏洩電流の交流成分に対応する交流定格感度電流値が設定される第一のＡＣ成分比較器１７に入力され、抽出された交流成分と交流定格感度電流値との差分値がＡＣ成分積分回路１８で積分され、この積分値がＡＣ成分比較器１９で、第二のＡＣ成分の閾値と比較される。
また、ＤＣ検出フィルタ回路２６で抽出された直流成分は、漏洩電流の直流成分に対応する直流定格感度電流値が設定されるＤＣ成分比較器２７に入力され、抽出された直流成分と直流定格感度電流値とが比較される。
そして、交流成分と交流定格感度電流値の差分値の積分値が第二のＡＣ成分の閾値を上回るとき、又は直流成分が直流定格感度電流値を上回るとき、遮断信号出力回路１０により遮断器１を構成する引外しコイル１１に遮断信号が出力されて遮断器１が開極し、主回路導体２が遮断されるようになっている。
【先行技術文献】
【特許文献】
【０００５】
【特許文献１】特開２０１３−３８０４７号公報
【発明の概要】
【発明が解決しようとする課題】
【０００６】
しかしながら、上記特許文献１に記載された従来例にあっては、主回路導体２にノイズが混入した場合に、不要動作しやすいという未解決の課題がある。特に、主回路導体２が直流を通電している際にノイズが混入した場合、交流成分検出側でノイズにより不要動作する可能性がある。
そこで、本発明は、上記従来例の未解決の課題に着目してなされたものであり、漏電時の保護を確実に行いつつ、不要動作を低減することの可能な漏電遮断器を提供することを目的としている。
【課題を解決するための手段】
【０００７】
上記目的を達成するために、本発明の一の形態に係る漏電遮断器は、測定電流が流れる導体を囲む磁気コアに、電気的に絶縁し磁気的に結合するように巻回した励磁コイルと、励磁コイルに励磁電流を供給する励磁部と、励磁コイルに流れる励磁電流に応じた電圧信号からなる測定信号を出力する測定信号出力部と、測定信号から交流成分のみを取り出す交流成分通過フィルタ部と、測定電流の交流成分に対応する交流しきい値が設定され、交流成分通過フィルタ部のフィルタ出力が交流しきい値を超える場合に交流検知信号を出力する交流検出部と、測定信号から直流成分のみを取り出す直流成分通過フィルタ部と、測定電流の直流成分に対応する直流しきい値が設定され、直流成分通過フィルタ部のフィルタ出力が直流しきい値を超える場合に直流検知信号を出力する直流検出部と、導体を遮断可能な遮断器と、導体の主回路電圧が交流であるか直流であるかを判定する交流／直流判定部と、交流／直流判定部で主回路電圧が交流であると判断されるときには交流検知信号に基づいて遮断器を制御し、主回路電圧が直流であると判断されるときには直流検知信号に基づいて前記遮断器を制御する遮断制御部と、を備えている。
【発明の効果】
【０００８】
本発明の一態様によれば、主回路導体にノイズが混入した場合であっても、ノイズにより不要動作が生じることを回避することができ、主回路の動作電圧が交流及び直流のいずれであるかに関わらず、不要動作を抑制しつつ確実に漏電時保護を行うことができる。
【図面の簡単な説明】
【０００９】
【図１】本発明の一態様である漏電遮断器の一実施形態を示すブロック図である。
【図２】本発明の一実施形態に適用し得る励磁回路の一例を示す回路図である。
【図３】本発明の一実施形態に適用し得る交流成分通過フィルタの一例を示す回路図である。
【図４】本発明の一実施形態に適用し得る交流検出回路の一例を示す回路図である。
【図５】本発明の一実施形態に適用し得る直流成分通過フィルタの一例を示す回路図である。
【図６】本発明の一実施形態に適用し得る直流検出回路の一例を示す回路図である。
【図７】本発明の一実施形態に適用し得る遮断制御回路の一例を示す回路図である。
【図８】本発明の一実施形態に適用し得る交流／直流判定回路３７の一例を示す回路図である。
【図９】従来の漏電遮断器の一例を示すブロック図である。
【発明を実施するための形態】
【００１０】
以下、図面を参照して、本発明の一実施の形態を説明する。以下の図面の記載において、同一又は類似の部分には同一又は類似の符号を付している。また、図９に示す従来の漏電遮断器と同一作用をするものには、同一符号を付して説明を省略する。
また、以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１１】
図１において、主回路導体２は、導線２ａ、２ｂが２本の場合を示しており、流れる電流をＩとしている。なお、主回路導体２は導線が１本でもよく、また三相対応の３本でもよい。変流器１２は零相変流器からなる。零相変流器は、地絡故障時に流れる零相電流を検出する変流器である。すなわち、通常三相電流のベクトル和は零になるが、地絡すると、グランドを電路とし電流が流れるため、ベクトル和が零にならない性質を用いて、漏電遮断器は地絡故障や漏電を検出する。
【００１２】
主回路導体２の給電側には、遮断器１が設けられている。遮断器１は、導線２ａ及び２ｂのそれぞれに設けられ、導線２ａ、２ｂのそれぞれを遮断するように構成される。遮断器１は、引外しコイル１１に遮断信号Ｓ１が供給されることにより開極される。
変流器１２は、円環状の磁気コア１２ａと、磁気コア１２ａに電気的に絶縁し磁気的に結合するように巻装された所定巻数の励磁コイル１２ｂとしての二次巻線とを有している。磁気コア１２ａは、その内側に主回路導体２が挿通されている。変流器１２は、励磁部及び測定信号出力部としての励磁回路１３により、交流成分だけでなく直流成分も検出できる構成としてある。
【００１３】
励磁回路１３は、変流器１２の励磁コイル１２ｂに、励磁電流を送ると共に、その励磁電流の変化に応じた電圧を出力電圧として出力する。励磁回路１３は、励磁コイル１２ｂに、磁気コア１２ａが飽和するような励磁電流を送ると共に、磁気コア１２ａが飽和するタイミングに併せてパルス電圧を出力し、さらにそのパルス電圧を用いて再び励磁コイル１２ｂに励磁電流を送る構成となっている。
ここで、励磁コイル１２ｂにパルス状の電圧を印可すると、最初に磁気コア１２ａのインダクタンスで決まる電流が流れ、磁気コア１２ａが飽和すると、磁気コア１２ａのインダクタンスが消失するため、励磁コイル１２ｂの抵抗で決まる電流が流れる。
【００１４】
この状態で、磁気コア１２ａを貫通する主回路導体２に任意の測定電流Ｉが通電されると、測定電流Ｉに応じたインダクタンスが消失するタイミングの変化に伴って、励磁電流もインダクタンスが消失するタイミングが変化する。すなわち、励磁コイル１２ｂを流れる電流のデューティ比が変化することになる。
したがって、励磁コイル１２ｂの励磁電流の、インダクタンスが消失することによるデューティ変化を検出することにより、主回路導体２を流れる測定電流Ｉの検出が可能となる。
【００１５】
励磁回路１３の励磁電流の発振周波数は、主回路導体２に流れる商用交流電源の周波数と比較して、高い周波数に定めるのがよい。
励磁回路１３は、例えば、特許第５８１７３１６号に開示されているように、図２に示す構成を有する。具体的には、励磁回路１３は、オペアンプ１３ａを有する。オペアンプ１３ａは、比較器として動作するもので、オペアンプ１３ａの出力側と反転入力側との間に励磁コイル１２ｂが接続されている。
【００１６】
分圧抵抗１３ｂ、１３ｃは、オペアンプ１３ａの出力電圧を分圧した分圧電圧をオペアンプ１３ａの非反転入力端子に閾値電圧として設定するものである。分圧抵抗１３ｂは、オペアンプ１３ａの出力側と非反転入力側との間に接続される。分圧抵抗１３ｃは、オペアンプ１３ａの非反転入力側とグランドとの間に接続される。抵抗１３ｄは、一端がオペアンプ１３ａの反転入力側に接続されると共に励磁コイル１２ｂの一端にも接続される。
そして、抵抗１３ｄの端子電圧が、励磁コイル１２ｂの励磁電流Ｉｂに応じた電圧信号からなる測定信号Ｖｏとして出力される。
【００１７】
励磁回路１３から出力される測定信号Ｖｏは、切替部としての切替回路３１を介して、交流成分通過フィルタ部としての交流成分通過フィルタ３２又は直流成分通過フィルタ部としての直流成分通過フィルタ３４に入力される。交流成分通過フィルタ３２のフィルタ出力は交流検出部としての交流検出回路３３に入力され、交流検出回路３３の検出結果は遮断制御部としての遮断制御回路３６に入力される。直流成分通過フィルタ３４のフィルタ出力は直流検出部としての直流検出回路３５に入力され、直流検出回路３５の検出結果は遮断制御回路３６に入力される。遮断制御回路３６では、これら検出結果に基づいて引外しコイル１１に遮断信号Ｓ１を出力し、遮断器１を開極する。
【００１８】
切替回路３１は、交流／直流判定部としての交流／直流判定回路３７からの切替信号Ｓ２に応じて動作し、測定信号Ｖｏを、交流成分通過フィルタ３２又は直流成分通過フィルタ３４のいずれかに出力する。
交流成分通過フィルタ３２は、励磁回路１３から出力される測定信号Ｖｏの中から交流成分のみを抽出する。交流成分通過フィルタ３２は、除去したいノイズや検出したい周波数帯に応じて設計されるが、一例として、低域通過フィルタで構成することができる。
【００１９】
交流成分通過フィルタ３２は、例えば図３に示すように、正帰還形とされた二次の低域通過フィルタで構成される。この低域通過フィルタは、切替回路３１から出力される測定信号Ｖｏが抵抗３２ａ及び３２ｂを介して比反転入力側に入力されると共に、出力側と正転入力側とが直接接続されたオペアンプ３２ｃと、抵抗３２ｂとオペアンプ３２ｃの非反転入力側の接続点とグランド間に接続されたコンデンサ３２ｄと、抵抗３２ａ及び３２ｂの接続点とオペアンプ３２ｃの反転入力側との間に接続されたコンデンサ３２ｅと、を備える。このように、交流成分通過フィルタ３２を、低域通過フィルタで構成することで、高周波ノイズの影響を除去することができ、より確実に低周波領域の交流成分又は直流成分を抽出することができる。
【００２０】
交流検出回路３３は、交流成分通過フィルタ３２の出力と、主回路導体２を流れる測定電流Ｉの交流成分に対応する交流定格感度電流設定値とを比較する。
この交流検出回路３３は、例えば図４に示すように比較器で構成される。この比較器は、オペアンプ３３ａと分圧抵抗３３ｂ及び３３ｃを備え、交流成分通過フィルタ３２の出力側がオペアンプ３３ａの非反転入力側に接続され、分圧抵抗３３ｂ及び３３ｃの接続点の電圧が交流定格感度電流設定値としてオペアンプ３３ａの反転入力側に接続される。オペアンプ３３ａの出力が交流検知信号Ｓ３として遮断制御回路３６に出力される。このように、交流検出回路３３を比較器で構成することによって、簡易な構成で交流成分の有無を確実に検出することができる。
【００２１】
直流成分通過フィルタ３４は、励磁回路１３から出力される測定信号Ｖｏの中から直流成分のみを抽出する。直流成分通過フィルタ３４は、商用周波数を含む交流成分全てを除去する。直流成分通過フィルタ３４は、一例として、低域通過フィルタで構成することができる。
直流成分通過フィルタ３４は、例えば図５に示すように、正帰還形とされた二次の低域通過フィルタで構成されている。この低域通過フィルタは、切替回路３１から出力される測定信号Ｖｏが抵抗３４ａ及び３４ｂを介して非反転入力側に入力されると共に、出力側と反転入力側とが直接接続されたオペアンプ３４ｃと、抵抗３４ｂとオペアンプ３４ｃの非反転入力側の接続点とグランド間に接続されたコンデンサ３４ｄと、抵抗３４ａ及び３４ｂの接続点とオペアンプ３４ｃの反転入力側との間に接続されたコンデンサ３４ｅと、を備える。ここで、直流成分通過フィルタ３４は、直流成分のみを取り出すことができればよいため、このように、直流成分通過フィルタ３４を、低域通過フィルタで構成することによって、簡単なフィルタ構成で商用周波数も含めた交流成分を除去することができ、ノイズの影響を大きく低減することができる。
【００２２】
直流検出回路３５は、直流成分通過フィルタ３４の出力と、主回路導体２を流れる測定電流Ｉの直流成分に対応する直流定格感度電流設定値とを比較する。
この直流検出回路３５は、例えば図６に示すように比較器で構成される。この比較器は、オペアンプ３５ａと分圧抵抗３５ｂ及び３５ｃを備え、直流成分通過フィルタ３４の出力側がオペアンプ３５ａの非反転入力側に接続され、分圧抵抗３５ｂ及び３５ｃの接続点の電圧が直流定格感度電流設定値としてオペアンプ３５ａの反転入力側に接続される。オペアンプ３５ａの出力が直流検知信号Ｓ４として遮断制御回路３６に出力される。このように、直流検出回路３５を、比較器で構成することによって、簡易な構成で直流成分の有無を確実に検出することができる。
【００２３】
遮断制御回路３６は、例えば図７に示すように、例えば論理和回路で構成され、交流検出回路３３から出力される交流検知信号Ｓ３が入力されるダイオード３６ａと、直流検出回路３５から出力される直流検知信号Ｓ４が入力されるダイオード３６ｂと、を備える。両ダイオード３６ａ及び３６ｂのカソードは互いに接続され、その接続点とグランドとの間に抵抗３６ｃが接続され、この抵抗３６ｃの端子電圧が遮断信号Ｓ１として、引外しコイル１１に供給される。
【００２４】
つまり、遮断制御回路３６は、交流検出回路３３と直流検出回路３５とのいずれか一方で、交流検知信号Ｓ３又は直流検知信号Ｓ４が出力された場合に、引外しコイル１１に遮断器１を開極する遮断信号Ｓ１を出力する。このように、遮断制御回路３６を抵抗とダイオードとからなる論理和回路で構成することによって、簡易な構成で交流電流検出時又は直流電流検出時に、遮断器１を動作させるための引外しコイル１１を、確実に動作させることができる。
【００２５】
交流／直流判定回路３７は、例えば図８に示すように、微分回路３７ａと比較器３７ｂとで構成される。
微分回路３７ａは、一例として、高域通過フィルタで構成することができる。
この高域通過フィルタは、図８に示すように、正帰還形とされた二次の高域通過フィルタで構成されている。この高域通過フィルタは、後述の電源回路３８の整流回路３８ａから出力される整流出力がコンデンサＣ１１及びＣ１２を介して非反転入力側に入力されると共に、出力側と反転入力側とが直接接続されたオペアンプＯＰ１１と、コンデンサＣ１２とオペアンプＯＰ１１の非反転入力側の接続点とグランド間に接続された抵抗Ｒ１１と、コンデンサＣ１１及びＣ１２の接続点とオペアンプＯＰ１１の反転入力側との間に接続された抵抗Ｒ１２と、を備えている。
【００２６】
比較器３７ｂは、例えば、図８に示すように、オペアンプＯＰ２１と分圧抵抗Ｒ２１及びＲ２２を備え、微分回路３７ａの出力側がオペアンプＯＰ２１の非反転入力側に接続され、分圧抵抗Ｒ２１及びＲ２２の接続点がオペアンプＯＰ２１の反転入力側に接続される。オペアンプＯＰ２１の出力が切替信号Ｓ２として、切替回路３１に出力される。
ここで、電源回路３８は整流回路３８ａを備え、整流回路３８は主回路導体２に接続されて主回路における主回路電圧を整流する。整流回路３８で整流された回路電圧は例えば後段に設けられた図示しない平滑回路等で平滑化されて、漏電遮断器の各部に電源電圧として供給されるようになっている。
【００２７】
このとき、主回路電圧が直流の場合には微分回路３７ａの出力は略一定となり、主回路電圧が交流の場合には整流回路３８ａの出力は脈流となるため、微分回路３７ａの出力には変動が生じる。そのため、整流回路３８ａの出力が略一定か否かを検出することによって、主回路電圧が直流か交流かを判別することができる。
つまり、整流回路３８ａの出力を、交流／直流判定回路３７の微分回路３７ａに入力する構成とすることで、主回路電圧が直流の場合には微分回路３７ａの出力は略一定となり比較器３７ｂのしきい値、つまり、分圧抵抗Ｒ２１及びＲ２２の接続点の電圧を超えない。主回路電圧が交流の場合には微分回路３７ａの出力は比較器３７ｂのしきい値を超える。これにより、主回路電圧が交流であるか直流であるかを判定することができ、その結果、主回路電圧に応じて切替回路３１を切り替えることができる。このように、交流／直流判定回路３７を微分回路３７ａとこの微分回路３７ａの後段に設けられる比較器３７ｂとで構成することによって、簡易な回路構成で、主回路電圧が直流であるか交流であるかを判定することができる。
【００２８】
このように、本発明の一実施形態では、測定電流Ｉが流れる主回路導体２を貫通させた１つの磁気コア１２ａと、この磁気コア１２ａに巻回された１つの励磁コイル１２ｂとを備え、励磁コイル１２ｂに励磁回路１３で矩形波電圧を印可したときの励磁コイル１２ｂを流れる励磁電流の極性切り替わり電流と電流が零であるときに磁気コア１２ａのインダクタンスが飽和する電流とを一致させている。そのため、励磁回路１３の出力電圧のデューティ比を測定電流の電流値に応じて変化させ、このときのデューティ比を検出するだけの簡易な構成で磁気コア１２ａを貫通する導線２ａ、２ｂを流れる微小電流を検知することができる。
【００２９】
また、交流／直流判定回路３７によって、主回路電圧が直流であるか交流であるかを判別し、主回路電圧が交流であるときには交流成分通過フィルタ３２及び交流検出回路３３からなる交流系統の回路により漏電を検出し、主回路電圧が直流であるときには直流成分通過フィルタ３４及び直流検出回路３５からなる直流系統の回路により漏電を検出している。そのため、主回路電圧が直流である場合には、直流系統の回路を用いて漏電検出を行い、測定信号Ｖｏから抽出した直流成分に基づいて漏電検出を行うため、ノイズ成分が除去された直流成分に基づいて漏電検出が行われることになる。そして、主回路電圧が直流である場合には、交流系統の回路による漏電検出は行われないため、遮断器１は、測定信号Ｖｏから抽出した直流成分に基づく漏電検出結果に基づいて、開極制御されることになる。
【００３０】
そのため、主回路電圧が直流である状態で、主回路導体２にノイズが混入し、混入したノイズが交流成分として測定信号Ｖｏに含まれる場合でも、主回路電圧が直流である場合には、直流系統の回路による漏電検出が行われるため、ノイズ分が漏電検出に影響を与えることを回避することができ、結果的に、ノイズ分により漏電と誤判定されて遮断器１が開極されることを回避することができる。したがって、ノイズ等が主回路導体２に混入した場合に、ノイズ等を漏電として誤検知し、不必要に遮断器１が開極されることを回避することができ、漏電の検出精度をより向上させることができる。
【００３１】
なお、上記実施形態においては、交流／直流判定回路３７の判定結果に応じて、励磁回路１３からの測定信号Ｖｏの出力先を、交流成分通過フィルタ３２と直流成分通過フィルタ３４とで切り替えるようにした場合について説明したが、これに限るものではない。例えば、測定信号Ｖｏを交流検出回路３３及び直流検出回路３５に入力すると共に、交流検出回路３３及び直流検出回路３５の出力側に切替回路３１を設け、交流／直流判定回路３７の判定結果に応じて、交流検出回路３３の出力及び直流検出回路３５の出力のうちのいずれかを選択してこれを遮断制御回路３６に出力するように構成してもよい。また、遮断制御回路３６に切替回路３１の機能を持たせ、遮断制御回路３６において、交流／直流判定回路３７の判定結果と、交流検出回路３３の出力と、直流検出回路３５の出力とに基づいて、交流／直流判定回路３７の判定結果に応じた交流検出回路３３の出力又は直流検出回路３５の出力に基づいて、遮断器１を開極するようにしてもよい。
【００３２】
以上、特定の実施形態を参照して本発明を説明したが、これら説明によって発明を限定するものではない。本発明の説明を参照することにより、当業者には、開示された実施形態の種々の変形例とともに本発明の別の実施形態も明らかである。従って、特許請求の範囲は、本発明の範囲及び要旨に含まれるこれらの変形例又は実施形態も網羅すると解すべきである。
【符号の説明】
【００３３】
１…遮断器、２…主回路導体、１１…引外しコイル、１２ａ…磁気コア、１２ｂ…励磁コイル、１３…励磁回路、３１…切替回路、３２…交流成分通過フィルタ、３３…交流検出回路、３４…直流成分通過フィルタ、３５…直流検出回路、３６…遮断制御回路、３７…交流／直流判定回路、３８…電源回路
【図１】
2017157431.tif 000003
【図２】
2017157431.tif 000004
【図３】
2017157431.tif 000005
【図４】
2017157431.tif 000006
【図５】
2017157431.tif 000007
【図６】
2017157431.tif 000008
【図７】
2017157431.tif 000009
【図８】
2017157431.tif 000010
【図９】
2017157431.tif 000011